(57)【要約】【課題】道路工事及び一般の土木工事時に発生する斜面、即ち、河川護岸または法面を保護するために、植生マットを積層した後、上記補強ワイヤまたは網状部材を固定装置で密着させ、堅固に植生マットを法面に固定できる河川護岸及び法面保護用植生マット並びにこれに用いられる固定装置を提供する。【解決手段】河川護岸及び法面保護用植生マットは、幅と長さを有し、生分解性材質からなる第１生分解ネットと、上記第１生分解ネットの上面に積層され、表面に植物種子が付着された植生用紙と、上記植生用紙に付着され、ココナッツ皮からなり、表面は黄麻を用いて格子状に製織された黄麻ネットと、上記黄麻ネットの上面に積層され、ココナッツ皮を所定の厚さに積層して密集形成されたココナッツマットと、上記ココナッツマットの上面に積層され、光分解性材質からなる第２生分解ネットと、上記第２生分解ネットの上面に積層され、ロープ形状を有する法面の垂直または水平の長手方向に設けられる補強ワイヤとで構成され、また、植生マットを法面に固定させるための固定装置は、中央に２つの貫通孔が形成された四角板状の両側先端に、四角板状を基準に鋭角の上向き連結された２つの板状の翼部で構成された本体と、上記四角板状に形成された貫通孔を挿通する鉄線ワイヤと、上記本体の四角板状の上部に上向きとなった鉄線ワイヤの長手方向に形成され、四角板状の上面に面接するように両側が傾斜するように形成され、上部の両側に取っ手が形成された垂直の円筒状を有する打撃機構とを含む。
2011526973.tif 000002
【特許請求の範囲】
【請求項１】
幅と長さを有し、生分解性材質からなる第１生分解ネット１１０と、
上記第１生分解ネット１１０の上面に積層され、表面に植物種子が付着された植生用紙１２０と、
上記植生用紙１２０に付着され、ココナッツ皮からなり、表面は黄麻を用いて格子状に製織された黄麻ネット１３０と、
上記黄麻ネット１３０の上面に積層され、ココナッツ皮を所定の厚さに積層して密集形成されたココナッツマット１４０と、
上記ココナッツマット１４０の上面に積層され、光分解性材質からなる第２生分解ネット１５０と、
上記第２生分解ネット１５０の上面に積層され、ロープ形状を有する法面の垂直または水平の長手方向に設けられる補強ワイヤ１６０ａとを含むことを特徴とする、河川護岸及び法面保護用植生マット。
【請求項２】
上記補強ワイヤ１６０ａの代わりに、金属材の表面に合成樹脂がコーティングされ、網状に組み立てられた網状部材１６０ｂが設けられることを特徴とする、請求項１に記載の河川護岸及び法面保護用植生マット。
【請求項３】
植生マットを法面に固定するために用いられる固定装置であって、
中央に２つの貫通孔が形成された四角板状２１１の両側先端に、四角板状２１１を基準に鋭角に上向き連結された２つの板状翼部２１２で構成された本体２１０と、
上記四角板状２１１に形成された貫通孔２１３に挿通される鉄線ワイヤ２２０と、
上記本体２１０の四角板状２１１の上方に上向きになった鉄線ワイヤ２２０の長手方向に形成され、四角板状２１１の上面に面接するように両側が傾斜するように形成され、上部の両側に取っ手２３１が形成された垂直の円筒状を有する打撃機構２３０とを含むことを特徴とする、河川護岸及び法面保護用植生マットの固定装置。
【請求項４】
法面１０１０の表面に第１生分解ネット１０２０が敷設され、上記第１生分解ネット１０２０の上面に草本類植栽マット１０３０が敷設され、上記草本類植栽マット１０３０の上面に草本類植栽マット１０３０が法面１０１０の表面に密着するように第２生分解ネット１０４０またはマットが覆われ、上記第２生分解ネット１０４０またはマットの上面を通じて所定の間隔で法面の地中に固定される固定装置であって、
互いに対面するように連結された翼辺１１１１が外側に広まった「Ｖ」形状を有し、各翼辺１１１１が外向きになるように流線型に折り曲げられ、また、各翼辺１１１１の一面に貫通した締結孔１１１２が形成され、各翼辺１１１１が連結される打撃面１１１３の中央に誘導孔１１１４が形成された本体１１１０と、
上記本体１１１０の翼辺１１１１に形成された締結孔１１１２を貫通して連結される鉄線１１２０とを含むことを特徴とする、河川護岸及び法面保護用植生マットの固定装置。
【請求項５】
さらに上記鉄線１１２０が形成された本体打撃面１１１３に打撃機構１２００を備え、上記本体１１１０の折り曲げられた中央誘導孔１１１４に挿入されるように、上記打撃機構１２００の先端に突出部１２１０が形成されることを特徴とする、請求項４に記載の河川護岸及び法面保護用植生マットの固定装置。
【請求項６】
法面２０１０の表面に種を固着させた不織布形態の発芽層２０２０が敷設されるようにし、上記発芽層２０２０の上面に、発芽層２０２０が法面２０１０の表面に密着するように網２０３０が敷設され、上記網２０３０の上面に直線状に一定の間隔で配列されるワイヤロープ２０４０が設けられ、上記網２０３０の上面に位置したワイヤロープ２０４０が直線状に一定の間隔で多数配列されたその両端及び交差する部分で法面２０１０の地中に打ち込まれる固定装置であって、
水平断面が円形であり、下方尖端向きに狭まる傾斜を有する頭部２１１０ａと、
上記頭部２１１０ａの上端外周の先端に、上記頭部２１１０ａの水平上面を基準に鈍角に上向き連結される、板状に多数形成された翼部２１２０と、
上記頭部２１１０ａの上面に、各翼部２１２０の内側に所定の幅を有する打撃空間部２１１１が形成されるように、中央に垂直に上向きになった所定の長さの胴体部２１３０と、
上記頭部２１１０ａの下端部から胴体部２１３０の上端部まで垂直貫通した一対の結束孔２１４０が形成され、上記各結束孔２１４０を貫通して連結されて上記胴体部２１３０の下端部に突出する鉄線ワイヤ２１５０とを含むことを特徴とする、河川護岸及び法面保護用植生マットの固定装置。
【請求項７】
上記頭部２１１０ａ、翼部２１２０及び胴体部２１３０は、一体に構成されることを特徴とする、請求項６に記載の河川護岸及び法面保護用植生マットの固定装置。
【請求項８】
上記頭部２１１０ａの水平断面は、四角形２１１０ｂ、六角形２１１０ｃ、八角形２１１０ｄのうちのいずれか一つからなり、上記選択された頭部２１１０ｂ、２１１０ｃ、２１１０ｄの上端円周の各辺ごとに、上記頭部２１１０ｂ、２１１０ｃ、２１１０ｄの水平上面を基準に鈍角に上向き連結される翼部２１２０が設けられることを特徴とする、請求項６に記載の河川護岸及び法面保護用植生マットの固定装置。
【請求項９】
上記頭部２１１０ａ、翼部２１２０及び胴体部２１３０は、一体のプラスチック材質で構成されることを特徴とする、請求項６に記載の河川護岸及び法面保護用植生マットの固定装置。
【発明の詳細な説明】
【技術分野】
【０００１】
本発明は、河川護岸及び法面保護用植生マット並びにこれに用いられる固定装置に関し、より詳細には、河川の斜面、切土法面または法面に設けて土砂崩壊を防止するとともに、水辺の植生が效果的になされるようにし、種の発芽を促進または草木類マットの活着を促進させ、緑化が早く進行できるように、法面と張り付け構造物間の一体化を容易にすることができる河川護岸及び法面保護用植生マット並びにこれに用いられる固定装置に関する。
【背景技術】
【０００２】
最近、河川流域の土地の利用が増大し、都市化が進められるに伴い、河川環境は顕著に変化しており、このような河川環境の変化は、河川環境の整備方式が治水、利水を目的とした大規模の土木工事を中心に進行されるため、さらに加速化し、河川が有する固有の自然環境の機能は低下している傾向である。
【０００３】
また、河川の水質汚染はもとより、生態系の構成要素としての河川植生と河川に生息する魚類と鳥類の生息密度が低くなり、ひいては生息動物の多様性が減少し、生態系の生息地としての機能が衰退した。
【０００４】
河川周辺の土地利用の密度が高い都市河川の場合、洪水疎通の治水を目的として低水路及び水辺の整備、水路の線状整備、河川堤防の築造などにより河川環境が変更され、低水路の護岸部は、コンクリートブロック化した。
【０００５】
例えば、コンクリート護岸ブロックは、河川水が土壌層に浸透するのを物理的に遮断させ、自然河川の川辺の湿生植物を乾生化させるだけでなく、川辺植生の提供する影がなくなるに伴って水温変化が深刻になり、水中低棲生物、魚類の生息地、産卵地としての機能を失い、さらに川辺植生地の周辺で餌を取り、植生の薮に身を隠す鳥類の生息基盤まで損なう問題がある。
【０００６】
また、土木工事後にできる土手や切土などのような切土法面や盛土地域の法面には、雨水により土砂が流出するのを防止するための方案として、その表面に草木を植栽して緑化する。
【０００７】
通常の方法では、芝がある程度伸びた状態で芝を法面に直接張る張り芝施工法が主に用いられたが、このような施工法は、野芝を採取するか、または、予め芝を人工裁培する必要があるため、芝の需給に困難があった。それだけでなく自然環境を損なうことがあり、施工過程において過度な労働力と時間が要される非経済的な問題点があった。
【０００８】
このような問題点を解消するための方案として、法面に種が混合された粘着剤を吹きつけ、種が発芽して緑化できるシードスプレー工法が提案されており、提案された工法は、粘着剤が吹き付けられたその表面に蓋を閉じ、水分の蒸発を防止することで発芽を促進し、さらに発芽後に腐食して草木の成長に必要な栄養分を供給できるようになる。
【０００９】
しかし、シードスプレー工法は、単純に混合種子を散布し、切芝をライン状に植えるため、完全に張るまでは４〜６年が要され、また、斜面を保護する何ら補助材がなく、洪水時に水量の増加により堤防が崩壊するか、または損なわれる短所が現れる。
【００１０】
また、蓋を硬化した粘着剤の表面に密着するために、鉄材やプラスチック材で備えられた固定杭（鉄板アンカー）を用いて固定するようにしたが、固定杭が法面に打ち込まれた状態で長期間経過し、植栽された草本類の根が地面に強く根付いていない状態で固定杭の離脱により植栽された植生マットの一部が破損している状態があった。
【００１１】
そして、周知のように、切土法面は、２０世紀に入り、交通手段の発達により増える道路を施工するために、山の一部や江、河川などの一部に道路を施工することにより道路の周縁に形成される。
【００１２】
このような切土法面は、エルニーニョ、ラニーニャなどの地球の異常気温のため、予想できない暴雨が降り、７０〜８０％の切土法面で水が流れると同時に、そうでない水が地中に浸透し、道路または切土法面の、土質の弱い部分にしみ込むようになる。
【００１３】
このように地中に多量の水がしみ込むようになれば、切土法面が崩壊または破損するが、法面の崩壊により道路を運行する車両が埋没または転覆する事故が発生することはもちろん、車両の通行が不能になり、人命はもとより莫大な財産的損失を蒙るようになる。
【００１４】
このような切土法面の土質は、岩石を掘削してなるか、または土砂からなるが、土砂の大部分をなす土は、岩石の長年の物理化学的な作用及び生物学的な風化作用によって生成される。
【００１５】
また、岩石から生成された土の主要構成要素には、岩石の風化産物である鉱物とともに動物、植物の残骸で形成された有機物と、有機物の分解過程で生成される水、炭酸ガス、酸素などが含まれている。
【００１６】
従って、山や河川などの切土法面は、切土法面の施工後、概ね５〜１０年が過ぎてこそ土質の生物学的な風化作用により植物が生育できる土質に変化する。
【００１７】
このような切土法面には、梅雨期の暴雨、集中豪雨などにより損なわれないように、芝、潅木などの観賞用植物を植えて緑化することにより、切土法面が崩壊または破損しないようにしている。
【００１８】
このような切土法面の緑化工法は、切土法面に覆土し、これに芝、潅木植物の種を播種した後、わら、繊維網などの保温材を覆って湿度を維持させることにより、発芽された種が成長し、切土法面が緑化されるようにする。
【００１９】
ところが、このような切土法面の緑化は、種を播種し、種が成長するようになるが、まだ根付いていない法面部位や地質的な脆弱点が現れた法面部位に暴雨や集中豪雨などが降りると、切土法面が洗掘され、崩壊または破損する弊害がある。
【００２０】
また、切土法面は、その土質によってリッピング岩（風化岩）、軟岩、硬岩などに区分されるが、リッピング岩、硬岩の場合、切土法面の施工後、切土法面に金網や繊維網などを設けた後、下水汚泥、飲食物汚泥、産業廃棄物、スラッジ、汚泥などからなる培土で覆土した後、網や繊維網などを設け、その上に種を播種して緑化させた。
【００２１】
しかし、上記金網や繊維網を固定させるために、鉄材やプラスチック材で備えられた固定杭（アンカーピン）を用いて固定するが、固定杭が法面に打ち込まれている状態が長期間経過すれば、地面の風化作用及び多年間の気温差による結束部位の地面が緩み、固定杭が離脱するおそれが発生し、これから派生した暴雨及び気温差による土砂の流失によって連鎖的な固定杭の離脱が発生する。
【００２２】
また、山の一部を削り出すような土木工事の後には、その該当部分を緑化することが要求されており、切り取られた部分の緑化は、水害予防または山崩れ防止の側面で多くの意味を持っている。このような緑化構造については、これまで多くの提案があったが、最も顕著に台頭する問題点は、緑化構造が土木工事後の斜面に、より堅固に支持できないということである。即ち、暴雨によって緑化された部分の全体または一部が水によって流される場合が多く、実質的に緑化事業そのものがそれほど信頼性を確保していない現状である。
【発明の概要】
【発明が解決しようとする課題】
【００２３】
本発明は、このような問題点を解消するために創出したものであって、道路工事及び一般の土木工事時に発生する斜面、即ち、河川護岸または法面を保護するために、植生マットを積層した後、上記補強ワイヤまたは網状部材を固定装置で密着させ、堅固に植生マットを法面に固定できる河川護岸及び法面保護用植生マット並びにこれに用いられる固定装置を提供することにその目的がある。
【００２４】
そして、本発明の他の目的は、草本類の成長に必要な水分または栄養分を十分に供給することができ、また、草本類の成長後、植生マットの一部または全体が自然に分解されることにより、環境汚染の根本的な問題を解決できる河川護岸及び法面保護用植生マット並びにこれに用いられる固定装置を提供することにある。
【００２５】
また、本発明の他の目的は、排水路、小河川、道路の斜面や護岸において、洪水時に発生する流速による斜面の流失を防止し、植物が容易に育つことができるようにし、既存のコンクリートや護岸ブロック、そして各種のマット類の施工時に問題とされる泥水と環境ホルモンが排出され、水辺及び水中の生態系が撹乱され、動／植物の生息地の破壊などによる環境汚染と施工費用を減らすことができ、恒久的な斜面保護効果と、植物の成長が容易で、より環境にやさしい施工条件を形成できる河川護岸及び法面保護用植生マット並びにこれに用いられる固定装置を提供することにある。
【００２６】
そして、本発明の他の目的は、道路工事及び一般の土木工事時に発生する斜面、即ち、法面を保護するために、不織布に種を吹き付けたシードスプレー、種が付着された不織布または植栽された草本類マットを敷設した後、その上に網またはネットを設け、さらに上記網またはネットを補強するための補強ワイヤを設置し、上記網と補強ワイヤとが直面する場所に固定装置を密着、固定するようにすることにより、種の発芽を促進または草木類マットの活着を促進させ、緑化が早く進行できるようにした河川護岸及び法面保護用植生マット並びにこれに用いられる固定装置を提供することにある。
【課題を解決するための手段】
【００２７】
上記目的を達成するための本発明による河川護岸及び法面保護用植生マットは、幅と長さを有し、生分解性材質からなる第１生分解ネットと、上記第１生分解ネットの上面に積層され、表面に植物種子が付着された植生用紙と、上記植生用紙に付着され、ココナッツ皮からなり、表面は黄麻を用いて格子状に製織された黄麻ネットと、上記黄麻ネットの上面に積層され、ココナッツ皮を所定の厚さに積層して密集形成されたココナッツマットと、上記ココナッツマットの上面に積層され、光分解性材質からなる第２生分解ネットと、上記第２生分解ネットの上面に積層され、ロープ形状を有する法面の垂直または水平の長手方向に設けられる補強ワイヤとで構成されたものである。
【００２８】
また、本発明は、望ましくは、上記補強ワイヤの代わりに金属材の表面に合成樹脂がコーティングされ、網状に組み立てられた網状部材が設けられたものである。
【００２９】
そして、本発明は、望ましくは、上記植生マットを法面に固定させるための固定装置として、中央に２つの貫通孔が形成された四角板状の両側先端に、四角板状を基準に鋭角の上向き連結された２つの板状の翼部で構成された本体と、上記四角板状に形成された貫通孔を挿通する鉄線ワイヤと、上記本体の四角板状の上部に上向きとなった鉄線ワイヤの長手方向に形成され、四角板状の上面に面接するように両側が傾斜するように形成され、上部の両側に取っ手が形成された垂直の円筒状を有する打撃機構とを含むものである。
【００３０】
また、本発明は、望ましくは、法面の表面に第１生分解ネットが敷設され、また、上記第１生分解ネットの上面に草本類植栽マットが敷設され、さらに、上記草本類植栽マットの上面に草本類植栽マットが法面の表面に密着するようにネットが覆われ、上記ネットの上面を通じて所定の間隔で法面地中に固定される固定装置であって、上記固定装置は、互いに対面するように連結された翼辺が外側に広まった「Ｖ」形状を有し、各翼辺が外向きになるように流線型に折り曲げられ、各翼辺の一面に貫通した締結孔が形成され、各翼辺が連結される打撃面の中央に誘導孔が形成された本体と、上記本体の翼辺の締結孔を貫通して連結される鉄線とを含んで構成されたものである。
【００３１】
そして、本発明は、望ましくは、上記鉄線が形成された本体の打撃面に位置する打撃機構をさらに備え、上記本体の折り曲げられた中央の誘導孔に挿入されるように、上記打撃機構の先端に突出部が形成されるものである。
【００３２】
また、本発明は、望ましくは、法面の表面に種を固着させた不織布形態の発芽層を敷設し、上記発芽層の上面に、発芽層が法面の表面に密着するように、網が覆われ、また、上記網の上面に直線状に一定の間隔で配列されるワイヤロープが設けられ、上記網の上面に位置したワイヤロープが直線状に一定の間隔で多数配列されたその両端及び交差する部分において法面の地中に打込まれる固定装置であって、上記固定装置は、水平断面が円形であり、下方の尖端向きに狭まる傾斜を有する頭部と、上記頭部の上端外周の先端に、上記頭部の水平上面を基準に鈍角に上向き連結される多数の翼部と、上記頭部の上面に、各翼部の内側に所定の幅を有する打撃空間部が形成されるように、中央に垂直に上向きになった所定の長さを有する胴体部と、上記頭部の下端部から胴体部の上端部まで垂直貫通した一対の結束孔が形成され、上記各結束孔を貫通して連結されて上記胴体部の下端部に突出する鉄線ワイヤとを含むものである。
【００３３】
そして、本発明は、望ましくは、上記頭部、翼部及び胴体部は、一体に構成されるものである。
【００３４】
また、本発明は、望ましくは、上記頭部の水平断面は、四角形、六角形、八角形のうちのいずれか一つからなり、上記選択された頭部の上部先端の各辺ごとに、上記頭部の水平上面を基準に鈍角に上向き連結される翼部が構成されたものである。
【００３５】
そして、本発明は、望ましくは、上記固定装置の頭部、翼部及び胴体部は、一体のプラスチック材質で構成されたものである。
【発明の効果】
【００３６】
上記のように、本発明によれば、第１生分解ネット‐植生用紙‐黄麻ネット‐ココナッツマット‐第２生分解ネット‐補強ワイヤまたは網状部材を敷設した植生マットと、上記植生マットを地面に固定するための固定装置を用いて地面から植生マットの離脱を防止し、植生マット内での植物成長後、生分解性物質からなる植生マットは自然に分解され、また固定装置も時間が経つにつれて自然分解がなされるようになり、環境汚染の根本的な問題を解決することができる。
【００３７】
また、本発明によれば、排水路、小河川、道路の斜面や護岸において、洪水時に発生する流速による斜面の流失を防止し、植物が容易に育つことができるようにすることにより、既存のコンクリートや護岸ブロック、そして各種のマット類の施工の際、泥水と環境ホルモンが排出され、水辺及び水中の生態系が撹乱され、動／植物の生息地を破壊するような問題を效果的に防止することができ、また、環境汚染を防止し、施工費用を節減できるとともに、恒久的な斜面保護効果と植物の成長が容易であって、より環境にやさしい施工条件を形成できるという優れた効果が得られる。
【００３８】
そして、本発明によれば、切土面または法面に草本類植栽マットを積層し、固定装置を用いて切土面の地面と草本類植栽マットとを一体化させることにより、種の発芽を促進または草木類マットの活着を促進させ、緑化が早く進行できるだけでなく、固定装置が法面の地中に打込まれれば、容易に抜けたり離脱したりせず、法面の土壌が法面から流失することを效果的に防止し、植生緑化が自然に可能になる。
【図面の簡単な説明】
【００３９】
【図１】本発明による河川護岸及び法面保護用植生マットの構造図である。
【図２】本発明による河川護岸及び法面保護用植生マットの構造図である。
【図３】本発明による河川護岸及び法面保護用植生マットの施工構成図である。
【図４】本発明による河川護岸及び法面保護用植生マットの施工後の積層構造図である。
【図５】本発明による河川護岸及び法面保護用植生マットの側面施工構成図である。
【図６】本発明による河川護岸及び法面保護用植生マットの施工後に固定装置を設ける構成図である。
【図７】図６の本発明による河川護岸及び法面保護用植生マットにおける「Ａ」部位の拡大図である。
【図８】本発明による河川護岸及び法面保護用植生マットと固定装置の施工後の断面図である。
【図９】本発明による河川護岸及び法面保護用植生マットの固定装置の斜視図である。
【図１０】本発明による河川護岸及び法面保護用植生マットの固定装置の本体構造図である。
【図１１】本発明による河川護岸及び法面保護用植生マットの固定装置の分離図である。
【図１２】本発明の変形例による固定装置の構成図である。
【図１３】本発明の変形例による固定装置の構成図である。
【図１４】本発明の変形例による固定装置と打撃機構の組立図である。
【図１５】本発明の変形例による固定装置の本体に打撃機構を組み立てた構造図である。
【図１６】本発明の変形例による固定装置を草本類植栽マットの施工のために法面に設ける図面である。
【図１７】本発明の変形例による固定装置を草本類植栽マットの施工のために法面に設ける側面図である。
【図１８】本発明の変形例による固定装置を草本類植栽マットの施工のために法面に設けた図面である。
【図１９】図１８の本発明の変形例による固定装置を草本類植栽マットの施工のために法面に設けた「Ｂ」部位の拡大図である。
【図２０】本発明の変形例による固定装置を草本類植栽マットの施工のために法面に設けた側面図である。
【図２１】図２０の本発明による固定装置を草本類植栽マットの施工のために法面に設けた「Ｃ」部位の拡大図である。
【図２２】本発明の変形例による固定装置を草本類植栽マットの施工のために鉄線ワイヤに固定させる施工図である。
【図２３】本発明の他の変形例による固定装置の斜視図である。
【図２４】本発明の他の変形例による固定装置の正面図である。
【図２５】本発明の他の変形例による固定装置の垂直断面斜視図である。
【図２６】本発明の他の変形例による固定装置の垂直断面正面図である。
【図２７】本発明の他の変形例による固定装置と補助金属キャップの組立構成図である。
【図２８】本発明の他の変形例による固定装置の水平断面が四角形の頭部を有する斜視図である。
【図２９】本発明の他の変形例による固定装置の水平断面が六角形の頭部を有する斜視図である。
【図３０】本発明の他の変形例による固定装置の水平断面が八角形の頭部を有する斜視図である。
【図３１】本発明の他の変形例による固定装置を法面に設けた構成図である。
【図３２】図３１の本発明の他の変形例による固定装置を法面に設けた「Ｄ」部位の拡大図である。
【発明を実施するための形態】
【００４０】
以下、本発明を、添付の例示図面を参照して詳細に説明する。
図１に示すように、本発明による河川護岸及び法面保護用植生マット（以下、単に「植生マット」という）１００は、一定の幅と長さを有し、生分解性材質からなる第１生分解ネット１１０を備え、また、上記第１生分解ネット１１０の上面に積層され、表面に植物種子が付着された植生用紙１２０を備える。
【００４１】
そして、本発明による植生マット１００は、上記植生用紙１２０に付着され、ココナッツ皮からなり、表面は黄麻を用いて格子状に製織された黄麻ネット１３０を備え、また、上記黄麻ネット１３０の上面に積層され、ココナッツ皮を所定の厚さに積層して密集形成されたココナッツマット１４０を有する。
【００４２】
また、本発明による植生マット１００は、上記ココナッツマット１４０の上面に積層され、光分解性材質からなる第２生分解ネット１５０と、上記第２生分解ネット１５０の上面に積層され、ロープ形状を有する法面の垂直または水平の長手方向に設けられる補強ワイヤ１６０ａとを含む積層構造を有する。
【００４３】
上記生分解性材質からなる第１生分解ネット１１０は、生分解性ＰＥ樹脂またはＰＰ樹脂に、澱粉のような天然物質を一定部分添加し、上記樹脂が崩壊するようにする生分解性ネットを製織した状態を意味するものであって、引張強度を維持する役割をする。
【００４４】
また、本発明による河川護岸及び法面保護用植生マット１００は、植生用紙１２０と黄麻ネット１３０とが有機的に結合してなる構造である。
【００４５】
ここで、上記植生用紙１２０は、植物種子の離脱を防止し、また発芽率を高めるために、画仙紙、韓紙などの紙類を主に用いて肥料及び湿潤材を植物種子と一緒に配合させて製作する。
【００４６】
また、上記黄麻ネット１３０は、植生基盤材の役割をし、またココナッツ皮または黄麻を用い、植生用紙１２０の一側面または両側面に一体または分離式に設けられる。
【００４７】
そして、上記黄麻ネット１３０は、黄麻が格子状に製織されて固設されることにより、上記黄麻ネット１３０の上面に積層されるココナッツマットの構造的安全性及び耐久性を確保する。
【００４８】
上記ココナッツマット１４０は、ココナッツ皮を所定の厚さに積層して密集形成されることにより、地面から水分が揮発するのを防止し、植生用紙の植物種子の発芽のために水分を供給する役割をし、また、植物種子に必要な有機肥料と保温効果を与え、植物種子または成長した植栽の栄養要素または保湿効果を提供する役割をする。
【００４９】
また、本発明による河川護岸及び法面保護用植生マット１００は、上記ココナッツマット１４０の上面に積層され、また、光分解性材質からなる第２生分解ネット１５０を含み、上記光分解性の第２生分解ネット１５０は、ＴｉＯ２のような光触媒物質を含有したＰＰまたはＰＥ樹脂で製造された、光分解される材料を用いる。
【００５０】
そして、本発明による河川護岸及び法面保護用植生マット１００は、第２生分解ネット１５０の上面に積層され、また、ロープ形状を有する補強ワイヤ１６０ａが設けられるが、これは、上記第１生分解ネット１１０において、第２生分解ネット１５０の積層構造物を河川護岸または法面に施工した後の上記積層構造物の離脱を防止し、また、長時間が経ち、自然災害により河川護岸または法面の土砂が離脱または崩壊するのを予め防止できる役割をするようになる。
【００５１】
また、図２に示すように、上記補強ワイヤ１６０ａの代わりに、金属材の表面に合成樹脂がコーティングされ、網状に組み立てられた網状部材１６０ｂを設けてもよい。
【００５２】
以下、上記ような構成となっている本発明による河川護岸及び法面保護用植生マット１００の施工について説明する。
【００５３】
図３〜図８に示すように、本発明による河川護岸及び法面保護用植生マットの施工方法は、植生マット１００の設置対象である地表面、即ち法面１０５を整える段階が行われ、次に上記法面１０５に第１生分解ネット１１０‐植生用紙１２０‐黄麻ネット１３０‐ココナッツマット１４０‐第２生分解ネット１５０からなる積層構造物を敷設する段階が行われる。
【００５４】
そして、上記積層構造物の上面に垂直または水平の長手方向に補強ワイヤ１６０ａを設け、植生マット１００の積層構造をなす段階が行われ、次に上記補強ワイヤ１６０ａが設けられた線状を基準に、植生マット１００を固定装置２００で固定する段階が行われる。また、上記のように固定装置２００で固定された植生マット１００上に周辺の土砂を覆土する段階を含む。
【００５５】
このように本発明による河川護岸及び法面保護用植生マット１００を法面に施工する過程において、植生マット１００を法面に固定する固定装置２００は、図９〜図１１に示すように、金属材または生分解性樹脂で構成され、また、中央に貫通孔２１３が形成された四角板状２１１の両側先端に、四角板状２１１を基準に鋭角の上向き連結された２つの板状翼部２１２で構成された本体２１０を有する。従って、上記本体２１０は、「Ｖ」形状の断面構造を形成する。
【００５６】
そして、上記四角板状２１１に形成された貫通孔２１３に挿通される鉄線ワイヤ２２０を備える。このような鉄線ワイヤ２２０は、四角板状２１１に形成された貫通孔２１３を通って挿入されるものであって、図９に示すように、上部側に長く延在し、法面１０５に形成された多数の穴の深くよりも長く形成されたものである。
【００５７】
また、上記本体２１０の四角板状２１１の上部に上向きになっている鉄線ワイヤ２２０の長手方向に打撃機構２３０を備えるが、上記打撃機構２３０は、本体２１０の四角板状２１１の上面に面接するように、両側が傾斜するように形成され、また、上部両側に取っ手２３１が形成された垂直の円筒状を有する金属棒からなる。
【００５８】
このような固定装置２００は、図６及び図７に示すように、法面１０５に第１生分解ネット１１０‐植生用紙１２０‐黄麻ネット１３０‐ココナッツマット１４０‐第２生分解ネット１５０からなる積層構造物を敷設した後、法面１０５に形成された多数の穴にそれぞれ固定装置２００を打ち込むようになる。
【００５９】
このような過程において、図１０及び図１１に示すように、打撃機構２３０の取っ手２３１を掴み、ハンマー（図示しない）で打撃し、法面１０５に形成された多数の穴にそれぞれ固定装置２００を容易に打ち込むようになる。
【００６０】
そして、このように固定装置２００の設置がなされれば、打撃機構２３０を抜いて除去する。従って、上記第２生分解ネット１５０の上面には、固定装置２００の鉄線ワイヤ２２０が突出した状態で存在し、そこで上記鉄線ワイヤ２２０を補強ワイヤ１６０ａまたは網状部材１６０ｂに縛って固定させれば、植生マット１００の施工が完了する。
【００６１】
また、本発明による植生マット１００に用いられるあらゆる構成要素は、図６〜図８に示すように、できるだけ法面に設けた後、長期間にわたって地面を固定し、最上面に形成された補強ワイヤ１６０ａまたは網状部材１６０ｂを結束させ、地面の土砂が流出または崩壊するのを防止することで、２次的な防御手段として作用し、自然災害により発生する山崩れなどを防止する役割を果たすことができる。
【００６２】
それだけでなく、このように植生マット１００に用いられるあらゆる構成要素は、一定時間後に腐食され得る生分解性素材で製作されることにより、環境保護に尽くすことができ、それは自然と人間が共存する道であることを明らかにしたい。
【００６３】
一方、上記植生マット１００は、多様な流速に関係なく流速に応じて用いることができ、補強ワイヤ１６０ａまたは網状部材１６０ｂの上段への周辺土砂の覆土有無に関係なく、植生マット１００を固定する固定装置２００が地面に打ち込まれているので、植物種子の発芽及び活着には特別な影響を及ぼさない。
【００６４】
従って、上記のような構成で施工される本発明による河川護岸及び法面保護用植生マット１００は、ココナッツ長繊維で製作されたココナッツマット１４０が、上述した作用のように、厚みのある植生基盤材であるため、保湿力に優れ、施工初期には一定の強度を保持することができ、植物種子の活着及び流失防止に卓越した機能を発揮する。
【００６５】
また、ココナッツマット１４０は、保湿力に優れ、植物の根を乾燥と侵食から保護する機能をする。そして、上記ココナッツマット１４０の補強効果を倍加するために上面に積層し、光分解性の第２生分解ネット１５０と補強ワイヤ１６０ａまたは網状部材１６０ｂを設けることにより、植生マット１００の強度を高めることができる。従って、洪水時の堤防流失を防止するとともに、植生マット１００そのものの耐久性を極大化させることができる。
【００６６】
また、上記植生マット１００は、河川または法面に堅固な固定装置２００によって固定されることにより、植生マット１００の植栽化による植生空間を容易に備えることができ、経済的かつ効果的な設計が可能である。
【００６７】
そして、本発明の植生マット１００は、環境にやさしい素材のみを用いるため、施工後、長期間露出すれば、表面の第１、２生分解ネット層１１０、１５０は、光分解または生分解されて消滅し、またココナッツマット層は、腐食して消滅しても、このように長期間が経つときには、網状部材の上に既に芝や野生花が地表面の深くまで根を下ろし、旺盛に緑化完了及び斜面保護機能を效果的に行うことができる。
【００６８】
図１２〜図２２には、本発明の変形例による固定装置１０００が示されている。
本発明の変形例による固定装置１０００は、法面１０１０の表面で植栽マットを固定するが、上記法面１０１０には、第１生分解ネット１０２０が敷設され、また、上記第１生分解ネット１０２０の上面に草本類植栽マット１０３０が敷設され、さらに上記草本類植栽マット１０３０の上面に、草本類植栽マット１０３０が法面１０１０の表面に密着するように、第２生分解ネット１０４０が敷設され、固定装置１０００は、第２生分解ネット１０４０を貫通して所定間隔で法面地中に固定される。
【００６９】
このような本発明の変形例による固定装置１０００は、互いに対面するように連結された翼辺１１１１が外側に広まった「Ｖ」形状を有する本体１１１０を備え、上記本体１１１０は、各翼辺１１１１が外向きになるように流線型に折り曲げられており、各翼辺１１１１の一面には、締結孔１１１２が形成され、各翼辺１１１１が連結される打撃面１１１３の中央に誘導孔１１１４が形成された構造である。
【００７０】
また、上記本体１１１０の翼辺１１１１に形成された締結孔１１１２を貫通して連結される鉄線１１２０を含んで構成される。
【００７１】
そして、図１４及び図１５に示すように、さらに上記鉄線１１２０が形成された本体１１１０の打撃面１１１３に位置する打撃機構１２００を備えるが、上記打撃機構１２００は、その先端に突出部１２１０が形成され、上記本体１１１０の折り曲げられた中央の誘導孔１１１４に挿入されるように構成されたものである。
【００７２】
本発明の変形例による固定装置１０００を用いて法面１０１０の緑化構造を構成するためには、まず、図１６〜図１７に示すように、法面１０１０を平坦に整えた後、網構造の第１生分解ネット１０２０を上記法面１０１０の上面に敷設し、また、上記第１生分解ネット１０２０の上面に草本類植栽マット１０３０を敷設し、さらに上記草本類植栽マット１０３０の上面に第２生分解ネット１０４０を敷設する。
【００７３】
このように法面１０１０に第１生分解ネット１０２０‐草本類植栽マット１０３０‐第２生分解ネット１０４０の順に敷設した状態で、上記固定装置１０００を地面に打ち込んで固定する。
【００７４】
ここで、上記第１生分解ネット１０２０と第２生分解ネット１０４０は、その代わりに黄麻ネット、コアネット、金網、ポリプロピレン樹脂網、生分解性樹脂網、ジオグリッド（ｇｅｏｇｒｉｄ）、ジオテキスタイル、ＰＰネット、ＰＥネットのうちのいずれかを選択して設置することができ、植物の根付き後に自然分解され得る材料を用いることが望ましい。
【００７５】
上記ジオグリッド、ジオテキスタイル、ＰＰまたはＰＥネットは、一定時間後に生分解される材質を用いることが望ましい。
【００７６】
そして、図２０〜図２２に示すように、上記第１生分解ネット１０２０と第２生分解ネット１０４０は、横×縦が一定の長さの組織で製織された網紗体であり、上記第１生分解ネット１０２０は、草本類植栽マット１０３０で植物の根が法面１０１０の土砂に活着するまで適当な水分と保温を保持させ、また、草本類植栽マット１０３０の継ぎ目間に土砂が流出するのを防止するとともに、時間が経つにつれて自然分解による腐土化がなされ、肥料化し、草本類の根の活着のために水分と栄養分を供給する。
【００７７】
また、上記第２生分解ネット１０４０は、上記草本類植栽マット１０３０が上方に浮遊するか、または離脱することを防止するための固定手段を提供するものである。
【００７８】
上記草本類植栽マット１０３０は、芝、菖蒲、葦のうちのいずれかを用いることができ、また、上記草本類植栽マット１０３０の代わりに、不織布に種を吹き付けたシードスプレーまたは種が張り付けられた不織布を用いることができる。
【００７９】
また、図１９に示すように、上記第２生分解ネット１０４０上に所定の間隔で固定装置１０００を打ち込み、上記固定装置１０００の一側に「∩」形状の固定ピン１０５０ａまたは「―」形状の鉄線ワイヤ１０５０ｂを挿入した後、上記固定装置１０００を固定ピン１０５０ａまたは鉄線ワイヤ１０５０ｂの先端に固定するものであって、上記固定装置１０００は、第２生分解ネット１０４０の上面に所定の間隔をおいて設けられ、法面１０１０の地面中に固定される。
【００８０】
このような本発明の変形例による固定装置１０００は、図１２及び図１３に示すように、互いに対面するように連結された翼辺１１１１が外側に広まった「Ｖ」形状を有し、各翼辺１１１１が外向きになるように流線型に折り曲げられ、また、各翼辺１１１１の一面に貫通した締結孔１１１２が形成され、各翼辺１１１１が連結される打撃面１１１３の中央に誘導孔１１１４が形成された本体１１１０を備え、上記本体１１１０に備えられた翼辺１１１１の締結孔１１１２を貫通して連結される鉄線１１２０を含む構成となっている。
【００８１】
そして、図１４及び図１５に示すように、上記鉄線１１２０が形成された本体打撃面１１１３に打撃機構１２００を面接させ、第２生分解ネット１０４０の上面から法面１０１０の地面中に打ち込んで固定させるものであって、上記本体１１１０の中央に形成された打撃面１１１３の誘導孔１１１４には、上記打撃機構１２００の先端に形成された突出部１２１０が挿入されて固定されることにより、打撃過程中に定位置不良または本体の離脱を防止する。
【００８２】
このように固定装置１０００を固定させた後、図１７及び図２２に示すように、打撃機構１２００を除去すると、上記第２生分解ネット１０４０の上面には、固定装置１０００の鉄線１１２０が突出した状態で存在し、そこで、上記鉄線１１２０間に「∩」形状の固定ピン１０５０ａまたは「―」形状の鉄線ワイヤ１０５０ｂを挿入し、上記挿入された固定ピン１０５０ａまたは鉄線ワイヤ１０５０ｂの先端に鉄線１１２０を縛って固定させることで、草本類植栽マット１０３０の固定作業が完了する。
【００８３】
また、法面１０１０の施工において図式化していないが、上記固定ピン１０５０ａまたは鉄線ワイヤ１０５０ｂの代わりに、第２生分解ネット１０４０を鉄線からなる網（図示しない）で構成し、上記網の先端に上記固定装置１０００の鉄線１１２０を縛って固定してもよい。
【００８４】
一方、図２３〜図３２には、本発明の他の変形例による固定装置２０００が示されている。
このような本発明の他の変形例による固定装置２０００も、法面の緑化構造に用いられるものであって、上記法面２０１０には、図３１及び図３２に示すように、その表面に種を固着させた不織布形態の発芽層２０２０が敷設され、さらに上記発芽層２０２０の上面には、発芽層２０２０が法面２０１０の表面に密着するように網２０３０が覆われる。
【００８５】
また、上記網２０３０の上面にワイヤロープ２０４０が直線状に一定間隔で多数配列され、その両端及び交差する部分で、上記法面２０１０の地中に固定装置２０００が打ち込まれて固定される。
【００８６】
このような本発明の他の変形例による固定装置２０００は、図２３〜図３０に示すように、水平断面が円形であり、下方尖端向きに狭まる傾斜を有する頭部２１１０ａを有する。
【００８７】
そして、上記頭部２１１０ａの上端外周の先端には、上記頭部２１１０ａの水平上面を基準に鈍角に上向き連結される板状の多数の翼部２１２０を備え、上記頭部２１１０ａの上面には、各翼部２１２０の内側に所定の幅を有する打撃空間部２１１１が形成されるように、中央に垂直に上向きになった所定の長さの胴体部２１３０を有する。
【００８８】
また、上記頭部２１１０ａの下端部から胴体部２１３０の上端部まで垂直貫通した一対の結束孔２１４０が形成され、上記各結束孔２１４０を貫通して連結されて上記胴体部２１３０の下端部に突出する鉄線ワイヤ２１５０を含む構造である。
【００８９】
また、本発明の他の変形例による固定装置２０００は、法面の緑化構造を施工するにおいて、まず法面２０１０を平坦に整えた後、法面２０１０には種を固着させた不織布形態の発芽層２０２０を敷設し、上記発芽層２０２０が法面２０１０の地面に密着するように網２０３０を敷設し、さらに上記網２０３０の結束を補助する、網２０３０の上面に直線状に一定の間隔で配列されるワイヤロープ２０４０を設ける。
【００９０】
また、上記発芽層２０２０は、その表面が一般に用いられる、稲藁を編んで作った筵と、ココア皮を連結したひもで製織されたココアネットと、麻纎維で編んで製織された黄麻ネットのうちのいずれか一つからなる。
【００９１】
そして、上記発芽層２０２０を法面２０１０の地面に密着させるために発芽層２０２０の上面に設けられる網２０３０は、合成繊維糸を用いて網状に製織されたグリッド、鉄線で合成樹脂がコーティングされた網状構造の金網または腐食性のない網状構造のワイヤメッシュのうちのいずれか一つからなる。
【００９２】
また、上記法面２０１０の上面に設けられた発芽層２０２０、網２０３０及びワイヤロープ２０４０を法面２０１０の地中に打ち込むために、本発明の固定装置２０００を用いるようになり、予め法面２０１０の地中にアンカードリルのような道具を用いて予備穴２０５０をあけて置く作業が必要である。
【００９３】
このような予備穴２０５０は、上記網２０３０の上面にワイヤロープ２０４０が直線状に一定の間隔で多数配列されるその両端または交差する部分に形成され、このような予備穴２０５０に挿入される固定装置２０００は、その頭部２１１０ａの上端外周の先端に、上記頭部２１１０ａの水平上面を基準に鈍角に上向き連結された多数の翼部２１２０により、予めあけて置いた上記予備穴２０５０に容易に挿入することができる。
【００９４】
即ち、予備穴２０５０に挿入する時、翼部２１２０は、外側に開こうとする応力が発生するので、若干圧縮するようにして押し込めば、上記予備穴２０５０に容易に挿入されるが、一旦、傾きを有する上記翼部２１２０が予備穴２０５０内に深々と挿入されると、翼部２１２０の持っている弾性により元の状態に復帰して広がるので、上記予備穴２０５０の内側を強く圧迫するようになり、そのため引っかかって反対方向には容易に抜け出すことができなくなる。
【００９５】
また、上記固定装置２０００は、その頭部２１１０ａの下端部から胴体部２１３０の上端部まで貫通した一対の結束孔２１４０を通じて鉄線ワイヤ２１５０を連結し、上記胴体部２１３０の上端部に突出するようにしたものであって、上記法面２０１０上部の網２０３０の上面に直線状に一定の間隔で多数配列されるワイヤロープ２０４０の両端及び交差する部分に位置し、上記胴体部２１３０の上部に突出した鉄線ワイヤ２１５０をワイヤロープ２０４０に縛って結束させるようになる。
【００９６】
そして、本発明の他の変形例による固定装置２０００は、上記鉄線ワイヤ２１５０が設けられた状態で、上記法面２０１０の予備穴２０５０に挿入させるためにガイド役割をする補助金属キャップ２２００をかぶせて予備穴２０５０に挿入する。
【００９７】
このように補助金属キャップ２２００を鉄線ワイヤ２１５０が装着された固定装置２０００にかぶせて予備穴２０５０に内属させる場合、上記垂直円筒状の補助金属キャップ２２００の貫通した一端部を通して胴体部２１３０を挿入させ、頭部２１１０ａの上面に形成された打撃空間部２１１１に面着した状態で予備穴２０５０に内属させるようになり、その後、上記補助金属キャップ２２００を除去すれば、予備穴２０５０に固定装置２０００が強固に装着される。
【００９８】
また、本発明の他の変形例による固定装置２０００は、上記頭部２１１０ａ、翼部２１２０及び胴体部２１３０が一体に構成され、法面２０１０の地中に打ち込まれる過程で一部短絡したり折れたりすることがないようにするために提供される。
【００９９】
そして、上記頭部２１１０ａは、その水平断面が四角形２１１０ｂ、六角形２１１０ｃ、八角形２１１０ｄのうちのいずれか一つからなり、上記選択された頭部２１１０ｂ、２１１０ｃ、２１１０ｄの上端円周の各辺ごとに、上記頭部２１１０ｂ、２１１０ｃ、２１１０ｄの水平上面を基準に鈍角に上向き連結される翼部２１２０が設けられる。
【０１００】
このように上記選択された頭部２１１０ｂ、２１１０ｃ、２１１０ｄは、その上部先端の各辺ごとに翼部２１２０が形成されるものであって、各先端辺に上向き連結される翼部２１２０が継ぎ目なく連結される状態を有することにより、翼部２１２０の離脱を防止する。
【０１０１】
また、上記固定装置２０００は、その頭部２１１０ａ、翼部２１２０及び胴体部２１３０が一体のプラスチック材質で構成されることにより、頭部２１１０ａと胴体部２１３０の内部が密集した形態を有し、一層堅固で強い構造を提供する。
【０１０２】
本発明は、上述したように図面を参照し、特定の実施例について詳細に説明したが、本発明はこのような特定の構造に限定されるものではない。当業界における通常の知識を有する者であれば、以下の特許請求の範囲に記載された本発明の技術思想及び権利範囲を逸脱しなくても、本発明の河川護岸及び法面保護用植生マット並びにこれに用いられる固定装置の実施例を多様に修正または変更できるものである。なお、そのような単純な実施例の修正または設計変形の構造は、いずれも明確に本発明の権利範囲に属するものであることを明らかにする。
【図１】
2011526973.tif 000003
【図２】
2011526973.tif 000004
【図３】
2011526973.tif 000005
【図４】
2011526973.tif 000006
【図５】
2011526973.tif 000007
【図６】
2011526973.tif 000008
【図７】
2011526973.tif 000009
【図８】
2011526973.tif 000010
【図９】
2011526973.tif 000011
【図１０】
2011526973.tif 000012
【図１１】
2011526973.tif 000013
【図１２】
2011526973.tif 000014
【図１３】
2011526973.tif 000015
【図１４】
2011526973.tif 000016
【図１５】
2011526973.tif 000017
【図１６】
2011526973.tif 000018
【図１７】
2011526973.tif 000019
【図１８】
2011526973.tif 000020
【図１９】
2011526973.tif 000021
【図２０】
2011526973.tif 000022
【図２１】
2011526973.tif 000023
【図２２】
2011526973.tif 000024
【図２３】
2011526973.tif 000025
【図２４】
2011526973.tif 000026
【図２５】
2011526973.tif 000027
【図２６】
2011526973.tif 000028
【図２７】
2011526973.tif 000029
【図２８】
2011526973.tif 000030
【図２９】
2011526973.tif 000031
【図３０】
2011526973.tif 000032
【図３１】
2011526973.tif 000033
【図３２】
2011526973.tif 000034
【国際調査報告】
2011526973.tif 000035
2011526973.tif 000036
2011526973.tif 000037
2011526973.tif 000038
2011526973.tif 000039
2011526973.tif 000040